(57)【特許請求の範囲】
【請求項１】
周波数軸上において送信信号のスペクトラムを１つの第１のサブスペクトラムと複数の第２のサブスペクトラムとに分割するスペクトラム分割手段と、
前記複数の第２のサブスペクトラムの送信信号の振幅および位相をそれぞれ調整する複数の振幅・位相調整手段と、
前記複数の振幅・位相調整手段により調整された前記複数の第２のサブスペクトラムの送信信号をそれぞれ送信する複数の送信機と
を備え、
前記複数の振幅・位相調整手段は、さらに共通の前記第１のサブスペクトラムの送信信号の振幅および位相をそれぞれ調整し、
前記複数の送信機は、さらに前記複数の振幅・位相調整手段により調整された共通の前記第１のサブスペクトラムの送信信号をそれぞれ送信する
ことを特徴とする無線通信システムの送信装置。
【請求項２】
請求項１に記載の無線通信システムの送信装置において、
前記スペクトラム分割手段は、前記第１のサブスペクトラムの帯域の幅を前記第２のサブスペクトラムの帯域の幅より大きく設定することを特徴とする無線通信システムの送信装置。
【請求項３】
請求項１または請求項２に記載の無線通信システムの送信装置において、
前記スペクトラム分割手段は、前記第１のサブスペクトラムの送信信号が示す電圧が前記送信機ごとに等しくなるように、前記第１のサブスペクトラムの送信信号を前記複数の振幅・位相調整手段のそれぞれに出力することを特徴とする無線通信システムの送信装置。
【請求項４】
周波数軸上において送信信号のスペクトラムを１つの第１のサブスペクトラムと複数の第２のサブスペクトラムとに分割するスペクトラム分割ステップと、
前記第１のサブスペクトラムの送信信号と前記複数の第２のサブスペクトラムの送信信号との振幅および位相をそれぞれ調整する振幅・位相調整ステップと、
複数の送信機に、調整された前記複数の第２のサブスペクトラムの送信信号をそれぞれ送信させ、さらに調整された共通の前記第１のサブスペクトラムの送信信号をそれぞれ送信させる送信ステップと
を実行することを特徴とする無線通信システムの送信方法。
【請求項５】
請求項４に記載の無線通信システムの送信方法において、
前記スペクトラム分割ステップでは、前記第１のサブスペクトラムの帯域の幅を前記第２のサブスペクトラムの帯域の幅より大きく設定することを特徴とする無線通信システムの送信方法。
【請求項６】
請求項４または請求項５に記載の無線通信システムの送信方法において、
前記スペクトラム分割ステップおよび前記振幅・位相調整ステップでは、前記第１のサブスペクトラムの送信信号が示す電圧が前記送信機ごとに等しくなるように、前記第１のサブスペクトラムの送信信号を前記各送信機に出力することを特徴とする無線通信システムの送信方法。
【発明の詳細な説明】
【技術分野】
【０００１】
本発明は、無線通信システムの送信装置および無線通信システムの送信方法に関する。
【背景技術】
【０００２】
例えば、無線通信システムには、複数のアンテナを用い、送信信号の周波数帯域をアンテナの数で分割し、分割した各周波数帯域（以下、サブスペクトラムとも称される）の信号を各アンテナで送信し、空間上で元の送信信号に再合成する帯域分割アレーがある。これにより、無線通信システムは、変調および復調方式に依らず、アンテナの数に比例してＥＩＲＰ（Equivalent Isotropic Radiated Power）を向上させることができる。
【０００３】
例えば、隣接するサブスペクトラム間の送信信号の位相を互いに反転させて、再合成された送信信号の分割周波数における信号電力が最小となるように、送信信号の各サブスペクトラムでの振幅および位相を調整し、ＥＩＲＰを向上させる技術が提案されている（例えば、特許文献１、２参照）。また、各サブスペクトラムの送信信号の信号電力が最大となるように、各サブスペクトラムの送信信号の位相を所定の角度ごとに変化させて調整しＥＩＲＰの向上を図るステップトラック制御の技術が提案されている（例えば、特許文献３参照）。
【０００４】
また、無線通信システムには、受信時の位相が互いに同相となるように調整された同一の送信信号を、複数のアンテナから送信することで、ＥＩＲＰをアンテナの数の２乗に比例して向上させる同相合成の分割アレーが提案されている（例えば、非特許文献１参照）。
【先行技術文献】
【特許文献】
【０００５】
【特許文献１】特開２０１３−４８３４８号公報
【特許文献２】特開２０１４−２０７５５３号公報
【特許文献３】特開２０１３−２７００４号公報
【非特許文献】
【０００６】
【非特許文献１】須崎  皓平，鈴木  義規，小林  聖，“船上地球局用分散アレーアンテナの位相変動補償法および実験的検証”，信学技報，Vol.111，No.24，pp.11-16，2011
【発明の概要】
【発明が解決しようとする課題】
【０００７】
同相合成の分割アレーでは、例えば、帯域分割アレーと比べて信号電力の変動が生じ易いという問題がある。
【０００８】
本発明は、帯域分割アレーにおいて、従来と比べて大きなＥＩＲＰが得られる無線通信システムの送信装置および無線通信システムの送信方法を提供することを目的とする。
【課題を解決するための手段】
【０００９】
第１の発明は、周波数軸上において送信信号のスペクトラムを１つの第１のサブスペクトラムと複数の第２のサブスペクトラムとに分割するスペクトラム分割手段と、複数の第２のサブスペクトラムの送信信号の振幅および位相をそれぞれ調整する複数の振幅・位相調整手段と、複数の振幅・位相調整手段により調整された複数の第２のサブスペクトラムの送信信号をそれぞれ送信する複数の送信機とを備え、複数の振幅・位相調整手段は、さらに共通の第１のサブスペクトラムの送信信号の振幅および位相をそれぞれ調整し、複数の送信機は、さらに複数の振幅・位相調整手段により調整された共通の第１のサブスペクトラムの送信信号をそれぞれ送信することを特徴とする。
【００１０】
第２の発明は、スペクトラム分割手段は、第１のサブスペクトラムの帯域の幅を第２のサブスペクトラムの帯域の幅より大きく設定することを特徴とする。
【００１１】
第３の発明は、スペクトラム分割手段は、第１のサブスペクトラムの送信信号が示す電圧が送信機ごとに等しくなるように、第１のサブスペクトラムの送信信号を複数の振幅・位相調整手段のそれぞれに出力することを特徴とする。
【００１２】
第４の発明は、周波数軸上において送信信号のスペクトラムを１つの第１のサブスペクトラムと複数の第２のサブスペクトラムとに分割するスペクトラム分割ステップと、第１のサブスペクトラムの送信信号と複数の第２のサブスペクトラムの送信信号との振幅および位相をそれぞれ調整する振幅・位相調整ステップと、複数の送信機に、調整された複数の第２のサブスペクトラムの送信信号をそれぞれ送信させ、さらに調整された共通の第１のサブスペクトラムの送信信号をそれぞれ送信させる送信ステップとを実行することを特徴とする。
【００１３】
第５の発明は、スペクトラム分割ステップでは、第１のサブスペクトラムの帯域の幅を第２のサブスペクトラムの帯域の幅より大きく設定することを特徴とする。
【００１４】
第６の発明は、スペクトラム分割ステップおよび振幅・位相調整ステップでは、第１のサブスペクトラムの送信信号が示す電圧が送信機ごとに等しくなるように、第１のサブスペクトラムの送信信号を各送信機に出力することを特徴とする。
【発明の効果】
【００１５】
本発明は、帯域分割アレーにおいて、従来と比べて大きなＥＩＲＰが得られる。
【図面の簡単な説明】
【００１６】
【図１】無線通信システムの送信装置の一実施形態を示す図である。
【図２】送信信号のスペクトラムとサブスペクトラムとの関係の一例を示す図である。
【図３】図１に示した振幅・位相調整回路４０の各々に出力された図２に示したサブスペクトラムの送信信号の一例を示す図である。
【図４】図１に示した無線通信システムの送信装置における送信処理の一例を示す図である。
【発明を実施するための形態】
【００１７】
以下、図面を用いて実施形態について説明する。
【００１８】
図１は、無線通信システムの送信装置の一実施形態を示す。
【００１９】
図１に示した無線通信システムの送信装置２００は、変調器１０、ＤＦＴ（Discrete Fourier Transform）部２０、ｎ＋１個のスペクトラム分割回路３０（３０（１）−３０（ｎ＋１））およびｎ個の振幅・位相調整回路４０（４０（１）−４０（ｎ））を有する。送信装置２００は、ｎ個のＩＤＦＴ（Inverse Discrete Fourier Transform）部５０（５０（１）−５０（ｎ））、ｎ個の送信機６０（６０（１）−６０（ｎ））、受信機７０およびスペクトラム分析器８０を有する。
【００２０】
変調器１０は、ＱＰＳＫ（Quadrature Phase Shift Keying）等の変調方式に基づいて、送信するデータを含む送信信号を生成し、生成した送信信号をＤＦＴ部２０に出力する。
【００２１】
ＤＦＴ部２０は、変調器１０から受信した送信信号に離散フーリエ変換の処理を実行し、送信信号のスペクトラムを算出する。ＤＦＴ部２０は、算出した送信信号のスペクトラムを、各スペクトラム分割回路３０に出力する。
【００２２】
スペクトラム分割回路３０は、ＤＦＴ部２０から受信した送信信号のスペクトラムのうち、予め設定された帯域分割重み係数ＣＷ（ＣＷ１−ＣＷ（ｎ＋１））に応じた周波数帯域のサブスペクトラムの送信信号を通過させる。例えば、スペクトラム分割回路３０は、受信した送信信号のスペクトラムと帯域分割重み係数ＣＷとを乗算する乗算器３１を有する。例えば、スペクトラム分割回路３０（１）の場合、乗算器３１は、送信信号のスペクトラムのうち帯域分割重み係数ＣＷ１に応じたサブスペクトラムの送信信号を通過させる。スペクトラム分割回路３０（２）−３０（ｎ＋１）についても、スペクトラム分割回路３０（１）と同様に動作し、帯域分割重み係数ＣＷ２−ＣＷ（ｎ＋１）に応じた互いに異なる周波数帯域のサブスペクトラムの送信信号をそれぞれ通過させる。すなわち、スペクトラム分割回路３０（１）−３０（ｎ＋１）は、コサインロールオフフィルタ等として動作し、送信信号のスペクトラムをｎ＋１個のサブスペクトラムに分割する。
【００２３】
そして、スペクトラム分割回路３０（１）−３０（ｎ）は、分割したサブスペクトラム（以下、分割サブスペクトラムとも称される）の送信信号を振幅・位相調整回路４０（１）−４０（ｎ）の各々に出力する。また、スペクトラム分割回路３０（ｎ＋１）は、分割したサブスペクトラム（以下、共通サブスペクトラムとも称される）の送信信号を、信号電圧が互いに等しくなるように各振幅・位相調整回路４０に出力する。
【００２４】
なお、スペクトラム分割回路３０（１）−３０（ｎ）により分割されたいずれか１つのサブスペクトラムを共通サブスペクトラムにしてもよい。
【００２５】
また、帯域分割重み係数ＣＷは、送信装置２００に含まれるメモリ等の記憶装置に予め記憶される。帯域分割重み係数ＣＷ１−ＣＷ（ｎ＋１）は、各サブスペクトラムの帯域幅が同じになるように設定されてもよく、送信機６０の送信性能（すなわちＥＩＲＰ）に応じて設定されてもよい。
【００２６】
振幅・位相調整回路４０は、スペクトラム分割回路３０から受信した分割サブスペクトラムおよび共通サブスペクトラムの送信信号における振幅および位相を、スペクトラム分析器８０により指示された較正係数を用いて調整する。すなわち、振幅・位相調整回路４０は、スペクトラム分析器８０から指示された振幅および位相の較正係数を用いて、分割サブスペクトラムおよび共通サブスペクトラムの送信信号の振幅および位相を、他の分割サブスペクトラムの送信信号の振幅および位相と互いに揃うように調整する。振幅および位相が調整された分割サブスペクトラムおよび共通サブスペクトラムの送信信号が各送信機６０を介して送信されることで、送信前の送信信号が有するスペクトラムと同じスペクトラムの信号が空間合成される。
【００２７】
ＩＤＦＴ部５０は、振幅・位相調整回路４０から受信した分割サブスペクトラムおよび共通サブスペクトラムの送信信号に逆離散フーリエ変換の処理を実行し、時間方向に変化する分割サブスペクトラムおよび共通サブスペクトラムの送信信号に変換する。ＩＤＦＴ部５０は、変換した分割サブスペクトラムおよび共通サブスペクトラムの送信信号を送信機６０に出力する。
【００２８】
送信機６０は、アンテナとともに電力増幅器およびＢＵＣ（Block Up Converter）等を有する。例えば、送信機６０は、ＩＤＦＴ部５０から受信した分割サブスペクトラムおよび共通サブスペクトラムの送信信号の電力を増幅する。そして、送信機６０は、分割サブスペクトラムおよび共通サブスペクトラムの送信信号の周波数をＫｕバンド等の周波数に変換し、アンテナを介して分割サブスペクトラムおよび共通サブスペクトラムの送信信号を送信する。
【００２９】
受信機７０は、受信機７０が有するアンテナを介して、各送信機６０により送信された分割サブスペクトラムおよび共通サブスペクトラムの送信信号を、空間合成された合成信号として受信する。なお、衛星通信の場合、受信機７０は、通信衛星等からの折り返し信号を、合成信号として受信してもよい。
【００３０】
スペクトラム分析器８０は、受信機７０により受信された合成信号を用い、各振幅・位相調整回路４０が調整する分割サブスペクトラムおよび共通サブスペクトラムの送信信号の振幅および位相の校正係数を更新する。例えば、スペクトラム分析器８０は、ＤＦＴ部２０と同様のＤＦＴ処理を合成信号に対して実行し、合成信号のスペクトラムを算出する。スペクトラム分析器８０は、算出した合成信号のスペクトラムの分割サブスペクトラムごとに、ステップトラック制御を順次に実行する。例えば、スペクトラム分析器８０は、分割スペクトラムごとに合成信号の信号電力を順次にモニタリングし、振幅およびオフセット位相角に正負の所定の偏差を与えることで、信号電力が大きくなる方を新たな較正係数として算出し更新する。
【００３１】
あるいは、スペクトラム分析器８０は、モニタリングする分割スペクトラムの合成信号ごとに、合成信号の信号電力が最大に維持される振幅およびオフセット位相角を算出し較正係数として更新してもよい。そして、スペクトラム分析器８０は、更新した振幅および位相の較正係数を、各振幅・位相調整回路４０にフィードバックする。
【００３２】
図２は、送信信号のスペクトラムとサブスペクトラムとの関係の一例を示す。図２（ａ）は、図１に示したＤＦＴ部２０の離散フーリエ変換により算出された送信信号のスペクトラムＳＰの分布を示す。図２（ｂ）は、図２（ａ）に示した送信信号のスペクトラムＳＰが、例えば、２つの送信機６０を用いて送信される場合、３つのスペクトラム分割回路３０により分割周波数ｆ１、ｆ２ごとに分割された３つのサブスペクトラムＳＢ１−ＳＢ３を示す。なお、図２（ｂ）に示した各サブスペクトラムＳＢ１−ＳＢ３は、互いに等しい帯域幅を有する。
【００３３】
また、図２（ｂ）に示したサブスペクトラムＳＢ１、ＳＢ２は、分割サブスペクトラムとし、図２（ｂ）に示したサブスペクトラムＳＢ３は、共通サブスペクトラムとする。すなわち、スペクトラム分割回路３０（１）、３０（２）は、分割サブスペクトラムＳＢ１、ＳＢ２の送信信号の各々を、振幅・位相調整回路４０（１）、４０（２）に出力する。スペクトラム分割回路３０（３）は、共通サブスペクトラムＳＢ３の送信信号を、信号電圧が互いに等しくなるように各振幅・位相調整回路４０（１）、４０（２）に出力する。
【００３４】
図３は、図１に示した振幅・位相調整回路４０（１）、４０（２）の各々に出力された図２に示したサブスペクトラムＳＢ１−ＳＢ３の送信信号の一例を示す。図３（ａ）は、振幅・位相調整回路４０（１）に出力された分割サブスペクトラムＳＢ１と共通サブスペクトラムＳＢ３との送信信号を示す。図３（ｂ）は、振幅・位相調整回路４０（２）に出力された分割サブスペクトラムＳＢ２と共通サブスペクトラムＳＢ３との送信信号を示す。なお、図３の縦軸は送信信号の電圧を示し、横軸は周波数ｆを示す。
【００３５】
図３に示すように、分割サブスペクトラムＳＢ１、ＳＢ１の送信信号が電圧Ａの場合、各振幅・位相調整回路４０（１）、４０（２）に出力された共通サブスペクトラムＳＢ３の送信信号は、電圧Ａ／２となる。
【００３６】
例えば、図２（ａ）に示したスペクトラムＳＰの送信信号を、１つのアンテナで送信した場合の放射電力Ｐは、式（１）のように表される。
【００３７】
Ｐ＝Ｖａ２Ｗ  …（１）
ＶａはスペクトラムＳＰの送信信号の電圧を示し、ＷはスペクトラムＳＰの帯域幅を示す。
【００３８】
一方、図３（ａ）に示した分割サブスペクトラムＳＢ１と共通サブスペクトラムＳＢ３との送信信号を、送信機６０（１）で送信した場合の放射電力Ｐ２は、式（２）のように表される。
【００３９】
Ｐ２＝Ａ２（Ｗ／３）＋（Ａ／２）２（Ｗ／３）  …（２）
なお、サブスペクトラムＳＢ１−ＳＢ３の帯域幅は、互いに等しく、図２（ａ）に示したスペクトラムＳＰの帯域幅Ｗの３分の１である。また、図３（ｂ）に示した分割サブスペクトラムＳＢ２と共通サブスペクトラムＳＢ３との送信信号を送信機６０（２）で送信した場合の放射電力についても、式（２）を用いて同様に算出される。
【００４０】
式（１）の放射電力Ｐと式（２）の放射電力Ｐ２とが互いに等しいとした場合、電圧Ａは、√（２．４）Ｖａ（約１．５５Ｖａ）となる。各送信機６０（１）、６０（２）のアンテナの放射電力Ｐ２を合成して１つのアンテナとして動作させた場合の合成電力Ａ２Ｗは、２．４Ｖａ２Ｗとなる。すなわち、送信機６０（１）、６０（２）のアンテナを１つのアンテナとして動作させた場合のＥＩＲＰは、図２（ａ）に示したスペクトラムＳＰの送信信号を１つのアンテナで送信した場合と比べて、２．４倍大きくなることを示す。
【００４１】
また、図２（ａ）に示した送信信号のスペクトラムＳＰを２つのサブスペクトラムに分割し、分割した各サブスペクトラムの送信信号を２つの送信機で送信した場合の合成電力は、アンテナの数の比例し、２Ｖａ２Ｗとなる。すなわち、共通サブスペクトラムＳＢ３の送信信号を含む分割サブスペクトラムＳＢ１、ＳＢ２の送信信号を２つの送信機６０（１）、６０（２）で送信した場合のＥＩＲＰは、共通サブスペクトラムＳＢ３の送信信号を含まない場合と比べて４０％増加する。
【００４２】
これは、振幅・位相調整回路４０が、共通サブスペクトラムＳＢ３の送信信号の位相を、分割サブスペクトラムＳＢ１（または分割サブスペクトラムＳＢ２）の送信信号と同じ位相の較正係数を用い調整するためである。すなわち、各送信機６０から送信される共通サブスペクトラムＳＢ３の送信信号は、受信機７０が受信するタイミングで互いに同相となるように調整されるため、同相合成された信号として受信機７０に受信される。これにより、合成信号は、ＥＩＲＰがアンテナの数の２乗に比例する同相合成された信号を含むため、送信装置２００は、アンテナの数の２倍以上のＥＩＲＰを得ることができる。
【００４３】
さらに、スペクトラム分割回路３０が、図２（ａ）に示した送信信号のスペクトラムＳＰを、ｎ個の分割サブスペクトラムと１つの共通サブスペクトラムとに分割する場合、送信機６０（１）が送信する放射電力Ｐｎは、式（２）から式（３）のように変形される。
【００４４】
Ｐｎ＝Ａ２（Ｗ／（ｎ＋１））＋（Ａ／ｎ）２（Ｗ／（ｎ＋１））  …（３）
すなわち、分割サブスペクトラムおよび共通サブスペクトラムの帯域幅は、スペクトラムＳＰの帯域幅Ｗのｎ分の１となり、分割サブスペクトラムおよび共通サブスペクトラムの送信信号の電圧は、電圧Ａの（ｎ＋１）分の１となる。
【００４５】
式（１）の放射電力Ｐと式（３）の放射電力Ｐｎとが互いに等しいとし、送信機６０（１）−６０（ｎ）のアンテナを１つのアンテナとして動作させた場合の合成電力Ａ２Ｗは、ｎ２（ｎ＋１）／（ｎ２＋１）Ｖａ２Ｗとなる。すなわち、ＥＩＲＰは、図２（ａ）に示したスペクトラムＳＰの送信信号を１つのアンテナで送信した場合と比べて、ｎ２（ｎ＋１）／（ｎ２＋１）倍大きくなる。
【００４６】
また、共通サブスペクトラムの帯域幅は、分割サブスペクトラムの帯域幅より大きく設定されてもよい。これにより、受信機７０が受信する合成信号において、共通サブスペクトラムの送信信号により同相合成された信号の割合が多くなり、無線通信システムの送信装置２００は、ｎ２（ｎ＋１）／（ｎ２＋１）倍より大きなＥＩＲＰを得ることができる。
【００４７】
図４は、図１に示した無線通信システムの送信装置２００における送信処理の一例を示す。図４に示した処理は、例えば、送信装置２００に含まれるプロセッサ等が記憶装置に記憶される制御プログラム等を実行することにより実現される。なお、図４に示した処理は、送信装置２００に設けられるハードウェアにより実行されてもよい。
【００４８】
ステップＳ１００では、変調器１０は、ＱＰＳＫ等の変調方式に基づいて、送信するデータを含む送信信号を生成し、生成した送信信号をＤＦＴ部２０に出力する。
【００４９】
ステップＳ１１０では、ＤＦＴ部２０は、ステップＳ１００で生成された送信信号に離散フーリエ変換の処理を実行し、送信信号のスペクトラムを算出する。ＤＦＴ部２０は、算出した送信信号のスペクトラムを、各スペクトラム分割回路３０に出力する。
【００５０】
ステップＳ１２０では、各スペクトラム分割回路３０は、受信した送信信号のスペクトラムを、帯域分割重み係数ＣＷに応じたサブスペクトラムに分割する。例えば、スペクトラム分割回路３０（１）−３０（ｎ）は、分割したサブスペクトラムの送信信号を、分割サブスペクトラムの送信信号として振幅・位相調整回路４０（１）−４０（ｎ）に出力する。また、スペクトラム分割回路３０（ｎ＋１）は、分割したサブスペクトラムの送信信号を、共通サブスペクトラムの送信信号として、信号電圧が互いに等しくなるように振幅・位相調整回路４０（１）−４０（ｎ）の各々に出力する。
【００５１】
ステップＳ１３０では、振幅・位相調整回路４０は、ステップＳ１２０で分割された分割サブスペクトラムおよび共通サブスペクトラムの送信信号に対する振幅および位相を調整する。
【００５２】
ステップＳ１４０では、ＩＤＦＴ部５０は、振幅・位相調整回路４０から受信した分割サブスペクトラムおよび共通サブスペクトラムの送信信号に逆離散フーリエ変換の処理を実行する。ＩＤＦＴ部５０は、時間方向に変化する分割サブスペクトラムおよび共通サブスペクトラムの送信信号に変換する。ＩＤＦＴ部５０は、変換した分割サブスペクトラムおよび共通サブスペクトラムの送信信号を送信機６０に出力する。
【００５３】
ステップＳ１５０では、送信機６０は、送信機６０に含まれるアンテナを介して、分割サブスペクトラムおよび共通サブスペクトラムの送信信号を送信する。
【００５４】
ステップＳ１６０では、受信機７０は、各送信機６０により送信された分割サブスペクトラムおよび共通サブスペクトラムの送信信号を、空間合成された合成信号として受信する。
【００５５】
ステップＳ１７０では、スペクトラム分析器８０は、ステップＳ１６０で受信された合成信号に離散フーリエ変換の処理を実行する。スペクトラム分析器８０は、周波数方向に変化するスペクトラムの合成信号に変換する。
【００５６】
ステップＳ１８０では、スペクトラム分析器８０は、ステップＳ１７０で変換された合成信号のスペクトラムのうち分割サブスペクトラムの合成信号を用い、各振幅・位相調整回路４０が調整するサブスペクトラムごとの振幅およびオフセット位相角を算出する。
【００５７】
ステップＳ１９０では、スペクトラム分析器８０は、ステップＳ１８０で算出された振幅とオフセット位相角とを用い、各振幅・位相調整回路４０における振幅および位相の較正係数を更新する。
【００５８】
そして、送信装置２００は、ステップＳ１００からステップＳ１９０の処理を繰り返し実行する。
【００５９】
以上、図１から図４に示した実施形態では、スペクトラム分割回路３０は、送信信号のスペクトラムを複数の分割サブスペクトラムと１つの共通サブスペクトラムとに分割する。そして、振幅・位相調整回路４０は、分割サブスペクトラムの送信信号とともに、共通サブスペクトラムの送信信号の振幅および位相を調整する。これにより、受信機７０は、共通サブスペクトラムにおいて同相合成された信号を含む空間合成された合成信号を受信する。すなわち、受信する合成信号に同相合成された信号の成分が含まれるため、無線通信システムの送信装置２００は、従来の帯域分割アレーより大きなＥＩＲＰを得ることができる。
【００６０】
また、振幅・位相調整回路４０は、スペクトラム分析器８０から指示された振幅および位相の較正係数を用いて、分割サブスペクトラムとともに共通サブスペクトラムの送信信号の振幅および位相を調整する。これにより、無線通信システムの送信装置２００は、共通サブスペクトラムの送信信号を、受信機７０が受信するタイミングで互いに同相となるように従来の同相合成の分割アレーと比べて容易に調整でき、信号電力の変動を抑制できる。
【００６１】
以上の詳細な説明により、実施形態の特徴点および利点は明らかになるであろう。これは、特許請求の範囲がその精神および権利範囲を逸脱しない範囲で前述のような実施形態の特徴点および利点にまで及ぶことを意図するものである。また、当該技術分野において通常の知識を有する者であれば、あらゆる改良および変更に容易に想到できるはずである。したがって、発明性を有する実施形態の範囲を前述したものに限定する意図はなく、実施形態に開示された範囲に含まれる適当な改良物および均等物に拠ることも可能である。
【符号の説明】
【００６２】
１０…変調器；２０…ＤＦＴ部；３０（１）−３０（ｎ＋１）…スペクトラム分割回路；３１…乗算器；４０（１）−４０（ｎ）…振幅・位相調整回路；５０（１）−５０（ｎ）…ＩＤＦＴ部；６０（１）−６０（ｎ）…送信機；７０…受信機；８０…スペクトラム分析器；２００…送信装置；ＣＷ１−ＣＷ（ｎ＋１）…帯域分割重み係数；ｆ１，ｆ２…分割周波数；ＳＰ…スペクトラム；ＳＢ１−ＳＢ３…サブスペクトラム
【図１】
0006396258.tif 000002
【図２】
0006396258.tif 000003
【図３】
0006396258.tif 000004
【図４】
0006396258.tif 000005